(57)【要約】【課題】高い省エネ効果を得ることができるとともに、各人の好みに合った風呂の状態を提供できる風呂制御装置及び風呂制御方法を提供する。【解決手段】在宅者の各自が所持するいずれかの端末１１４のスイッチがオンされたか否かを判定するスイッチオン判定部（Ｓ１１）と、スイッチがオンされた場合に、給湯・追焚装置２を運転させて湯張りを開始する湯張り開始部（Ｓ１３）と、湯量が、在宅者の各自が所持する各端末１１４に設定されている湯量のなかで最低の湯量になって、かつ、湯温が、在宅者の各自が所持する各端末１１４に設定されている湯温のなかで最低の湯温に基づいて算出される省エネ湯温になったら湯張りを完了する湯張り完了部（Ｓ１６）とを有する。【選択図】図４
2017116226.tif 000002
【特許請求の範囲】
【請求項１】
在宅者の各自が所持するいずれかの端末のスイッチがオンされたか否かを判定するスイッチオン判定部と、
前記スイッチがオンされた場合に、給湯・追焚装置を運転させて湯張りを開始する湯張り開始部と、
湯量が、在宅者の各自が所持する各端末に設定されている湯量のなかで最低の湯量になって、かつ、湯温が、在宅者の各自が所持する各端末に設定されている湯温のなかで最低の湯温に基づいて算出される省エネ湯温になったら湯張りを完了する湯張り完了部と、
を有する風呂制御装置。
【請求項２】
請求項１に記載の風呂制御装置において、
湯張りが完了したら、前記給湯・追焚装置を省エネ保温運転にするスリープモード開始部と、
浴室以外の場所から脱衣室に人が移動した場合に、前記給湯・追焚装置の省エネ保温運転を中止するスリープモード解除部と、
を有する風呂制御装置。
【請求項３】
請求項２に記載の風呂制御装置において、
前記スリープモード解除部が前記給湯・追焚装置の省エネ保温運転を中止した場合に、湯温・湯量が、脱衣室に移動した人の端末に設定されている湯温・湯量になっているか否かを判定する湯状態判定部と、
湯温・湯量が、脱衣室に移動した人の端末に設定されている湯温・湯量になっていない場合には、脱衣室に移動した人の端末に設定されている湯温・湯量になるように調整する湯状態調整部と、
を有する風呂制御装置。
【請求項４】
請求項１から請求項３までのいずれか１項に記載の風呂制御装置において、
浴室以外の場所から脱衣室に人が移動した場合に、脱衣室に移動してから所定の時間が経過したか否かを判定する経過時間判定部と、
所定の時間が経過した場合に、浴室の照明を点灯する浴室照明点灯部と、
を有する風呂制御装置。
【請求項５】
請求項２から請求項４までのいずれか１項に記載の風呂制御装置において、
前記脱衣室に移動した人がさらに浴室に移動して現在浴室内に居るか否かを判定する脱衣後居場所判定部と、
前記脱衣室に移動した人が現在浴室内に居る場合に、その人が浴槽に入ったか否かを判定する入浴判定部と、
人が浴槽に入った場合に、浴室の照明を調整する入浴中浴室照明調整部と、
を有する風呂制御装置。
【請求項６】
請求項５に記載の風呂制御装置において、
前記入浴中浴室照明調整部が浴室の照明を調整するのに合わせて脱衣室の照明を調整する入浴中脱衣室照明調整部を有する、
風呂制御装置。
【請求項７】
請求項５又は請求項６に記載の風呂制御装置において、
人が浴槽に入った場合に、浴室内に在る端末が置かれているか否かを判定する入浴中端末状態判定部と、
前記浴室内に在る端末が置かれている場合に、前記端末の発光面から光を発光してカラーグラデーション照明を行う端末照明制御部と、
を有する風呂制御装置。
【請求項８】
請求項７に記載の風呂制御装置において、
前記浴室内に在る端末が置かれている場合に、その端末の発光面が壁から離れているか否かを判定する入浴中端末位置判定部を有し、
前記端末照明制御部は、前記置かれた端末の発光面が壁から離れている場合は、その発光面から所定の照度の光を発光してカラーグラデーション照明を行い、前記発光面が壁に近い場合は、前記所定の照度よりも強い照度の光を発光してカラーグラデーション照明を行う、
風呂制御装置。
【請求項９】
請求項７又は請求項８に記載の風呂制御装置において、
前記端末照明制御部がカラーグラデーション照明を行うのに合わせて音楽を流す入浴中音楽制御部を有する、
風呂制御装置。
【請求項１０】
請求項７から請求項９までのいずれか１項に記載の風呂制御装置において、
前記カラーグラデーション照明を行っている端末が所持されたか否かを判定する入浴中端末所持判定部と、
前記カラーグラデーション照明を行っている端末が所持された場合に、カラーグラデーション照明を中止する照明中止部と、
を有する風呂制御装置。
【請求項１１】
請求項５から請求項１０までのいずれか１項に記載の風呂制御装置において、
前記浴槽に入っている人が浴槽から出ようとしているか否かを判定する入浴終了判定部と、
人が浴槽から出ようとしている場合に、浴室の照明を調整する入浴後浴室照明調整部と、
を有する風呂制御装置。
【請求項１２】
請求項１１に記載の風呂制御装置において、
前記入浴終了判定部が、前記浴槽に入っている人が浴槽から出ようとしていることを判定した後、浴室内に在る端末が所持されたか否かを判定する入浴後端末所持判定部と、
浴室内に在る端末が所持されたら所持されていない場合よりも明るくなるように、浴室の照明を調整する入浴終了後浴室照明調整部と、
を有する風呂制御装置。
【請求項１３】
請求項１２に記載の風呂制御装置において、
前記入浴終了後浴室照明調整部が浴室の照明を調整する場合に、脱衣室の照明を調整する入浴後脱衣室照明調整部を有する、
風呂制御装置。
【請求項１４】
請求項１から請求項１３までのいずれか１項に記載の風呂制御装置において、
浴室以外の場所から脱衣室に移動した人が、その後浴室に移動し、再び脱衣室に移動し、さらに脱衣室の外に移動した場合に、浴室及び脱衣室の照明を消灯する消灯部を有する、
風呂制御装置。
【請求項１５】
請求項２から請求項１４までのいずれか１項に記載の風呂制御装置において、
前記浴室及び前記脱衣室の少なくとも一方に設けられたＢｌｕｅｔｏｏｔｈ通信機を備え、
人の居場所及び各人の特定は、各人が所持するＢｌｕｅｔｏｏｔｈ通信機能を有する端末と前記Ｂｌｕｅｔｏｏｔｈ通信機との通信によって行われる、
風呂制御装置。
【請求項１６】
請求項２から請求項１４までのいずれか１項に記載の風呂制御装置において、
各人が所持する端末のＧＰＳ通信機能に基づけばその端末が前記浴室又は前記脱衣室に在ると判定された場合に、前記浴室又は前記脱衣室の照明を所定の照度パターンで点滅させる照明制御部と、
前記端末の照度センサーによって検出した照度パターンが、前記所定の照度パターンと一致する場合には、その端末に紐づけられている人が前記浴室又は前記脱衣室に居ると判定する居場所判定部と、
を有する風呂制御装置。
【請求項１７】
在宅者の各自が所持するいずれかの端末のスイッチがオンされたか否かを判定するスイッチオン判定工程と、
前記スイッチがオンされた場合に、給湯・追焚装置を運転させて湯張りを開始する湯張り開始工程と、
湯量が、在宅者の各自が所持する各端末に設定されている湯量のなかで最低の湯量になって、かつ、湯温が、在宅者の各自が所持する各端末に設定されている湯温のなかで最低の湯温に基づいて算出される省エネ湯温になったら湯張りを完了する湯張り完了工程と、
を有する風呂制御方法。
【発明の詳細な説明】
【技術分野】
【０００１】
この発明は、風呂制御装置及び風呂制御方法に関する。
【背景技術】
【０００２】
入浴は、一日の疲れを癒すのに大きな効果がある。湯船にゆったりとつかるだけでもリラックスできるが、浴槽湯水の温度や水位・浴室の照明の明るさ・音楽などが自分の好み通りであればリラックス効果がさらに高まる。
【０００３】
しかしながら、入浴しようと浴室に入ってから、自分好みの浴室の明るさ，湯水温度，水位，音楽等にするために、各種機器を操作・設定する必要があれば、せっかくゆっくりくつろごうと入浴しても最初のところでつまずいてしまう。
【０００４】
浴室に人感センサーを設けるアイデアが特許文献１に開示されている。このアイデアを応用して、人感センサーが人を検出したら、浴室の明るさを自動的に調整すれば、入浴者の負担を軽減できそうではある。
【先行技術文献】
【特許文献】
【０００５】
【特許文献１】特開２００１−２７２１０３号公報
【発明の概要】
【発明が解決しようとする課題】
【０００６】
しかしながら、人感センサーは人の有無を検出するだけであってその人が誰なのかという各人の特定まではできない。同じ家族であっても、各人によって好みが異なり、浴室の明るさひとつをとっても、暗めを好む人もいれば明るめを好む人もいる。自分の好みに反するように調整されてはかえってリラックスできなくなる。
【０００７】
また、湯張り完了から入浴までの間に時間がかかると、複数回、高い温度まで追焚（保温）することになり、省エネ上、好ましくない。
【０００８】
本発明は、このような従来の問題点に着目してなされた。本発明の目的は、高い省エネ効果を得ることができるとともに、各人の好みに合った風呂の状態を提供できる風呂制御装置及び風呂制御方法を提供することである。
【課題を解決するための手段】
【０００９】
本発明は以下のような解決手段によって前記課題を解決する。なお、理解を容易にするために本発明の実施形態に対応する符号を付するが、これに限定されるものではない。また符号を付して説明した構成は適宜代替しても改良してもよい。
【００１０】
第１の発明は、在宅者の各自が所持するいずれかの端末（１１４）のスイッチがオンされたか否かを判定するスイッチオン判定部（Ｓ１１）と、前記スイッチがオンされた場合に、給湯・追焚装置（２）を運転させて湯張りを開始する湯張り開始部（Ｓ１３）と、湯量が、在宅者の各自が所持する各端末（１１４）に設定されている湯量のなかで最低の湯量になって、かつ、湯温が、在宅者の各自が所持する各端末（１１４）に設定されている湯温のなかで最低の湯温に基づいて算出される省エネ湯温になったら湯張りを完了する湯張り完了部（Ｓ１６）とを有する風呂制御装置である。
【００１１】
第２の発明は、第１の発明において、湯張りが完了したら、前記給湯・追焚装置（２）を省エネ保温運転にするスリープモード開始部（Ｓ１７）と、浴室（６００）以外の場所から脱衣室（５００）に人が移動した場合に、前記給湯・追焚装置（２）の省エネ保温運転を中止するスリープモード解除部（Ｓ２３）とを有する風呂制御装置である。
【００１２】
第３の発明は、第２の発明において、前記スリープモード解除部（Ｓ２３）が前記給湯・追焚装置（２）の省エネ保温運転を中止した場合に、湯温・湯量が、脱衣室（５００）に移動した人の端末（１１４）に設定されている湯温・湯量になっているか否かを判定する湯状態判定部（Ｓ２６１）と、湯温・湯量が、脱衣室（５００）に移動した人の端末（１１４）に設定されている湯温・湯量になっていない場合には、脱衣室（５００）に移動した人の端末（１１４）に設定されている湯温・湯量になるように調整する湯状態調整部（Ｓ２６２）とを有する風呂制御装置である。
【００１３】
第４の発明は、第１から第３までのいずれかの発明において、浴室（６００）以外の場所から脱衣室（５００）に人が移動した場合に、脱衣室（５００）に移動してから所定の時間が経過したか否かを判定する経過時間判定部（Ｓ２６３）と、所定の時間が経過した場合に、浴室（６００）の照明を点灯する浴室照明点灯部（Ｓ２６４）とを有する風呂制御装置である。
【００１４】
第５の発明は、第２から第４までのいずれかの発明において、前記脱衣室（５００）に移動した人がさらに浴室（６００）に移動して現在浴室（６００）内に居るか否かを判定する脱衣後居場所判定部（Ｓ３０１）と、前記脱衣室（５００）に移動した人が現在浴室（６００）内に居る場合に、その人が浴槽（６）に入ったか否かを判定する入浴判定部（Ｓ３０２）と、人が浴槽（６）に入った場合に、浴室（６００）の照明を調整する入浴中浴室照明調整部（Ｓ３０４）とを有する風呂制御装置である。
【００１５】
第６の発明は、第５の発明において、前記入浴中浴室照明調整部が浴室（６００）の照明を調整するのに合わせて脱衣室（５００）の照明を調整する入浴中脱衣室照明調整部（Ｓ３０５）を有する風呂制御装置である。
【００１６】
第７の発明は、第５又は第６の発明において、人が浴槽（６）に入った場合に、浴室（６００）内に在る端末（１１４）が置かれているか否かを判定する入浴中端末状態判定部（Ｓ３１０１）と、前記浴室（６００）内に在る端末（１１４）が置かれている場合に、前記端末（１１４）の発光面から光を発光してカラーグラデーション照明を行う端末照明制御部（Ｓ３１０３，Ｓ３１０４）とを有する風呂制御装置である。
【００１７】
第８の発明は、第７の発明において、前記浴室（６００）内に在る端末（１１４）が置かれている場合に、その端末（１１４）の発光面が壁から離れているか否かを判定する入浴中端末位置判定部（Ｓ３１０２）を有し、前記端末照明制御部（Ｓ３１０３，Ｓ３１０４）は、前記置かれた端末（１１４）の発光面が壁から離れている場合は、その発光面から所定の照度の光を発光してカラーグラデーション照明を行い、前記発光面が壁に近い場合は、前記所定の照度よりも強い照度の光を発光してカラーグラデーション照明を行う風呂制御装置である。
【００１８】
第９の発明は、第７又は第８の発明において、前記端末照明制御部（Ｓ３１０３，Ｓ３１０４）がカラーグラデーション照明を行うのに合わせて音楽を流す入浴中音楽制御部（Ｓ３１０５）を有する風呂制御装置である。
【００１９】
第１０の発明は、第７から第９までのいずれかの発明において、前記カラーグラデーション照明を行っている端末（１１４）が所持されたか否かを判定する入浴中端末所持判定部（Ｓ３１０１）と、前記カラーグラデーション照明を行っている端末（１１４）が所持された場合に、カラーグラデーション照明を中止する照明中止部（Ｓ３１０７）とを有する風呂制御装置である。
【００２０】
第１１の発明は、第５から第１０までのいずれかの発明において、前記浴槽（６）に入っている人が浴槽（６）から出ようとしているか否かを判定する入浴終了判定部（Ｓ３０７）と、人が浴槽（６）から出ようとしている場合に、浴室（６００）の照明を調整する入浴後浴室照明調整部（Ｓ３１１２）とを有する風呂制御装置である。
【００２１】
第１２の発明は、第１１の発明において、前記入浴終了判定部（Ｓ３０７）が、前記浴槽（６）に入っている人が浴槽（６）から出ようとしていることを判定した後、浴室（６００）内に在る端末（１１４）が所持されたか否かを判定する入浴後端末所持判定部（Ｓ３１１１）と、浴室（６００）内に在る端末（１１４）が所持されたら所持されていない場合よりも明るくなるように、浴室（６００）の照明を調整する入浴終了後浴室照明調整部（Ｓ３１１４）とを有する風呂制御装置である。
【００２２】
第１３の発明は、第１２の発明において、前記入浴終了後浴室照明調整部（Ｓ３１１４）が浴室（６００）の照明を調整する場合に、脱衣室（５００）の照明を調整する入浴後脱衣室照明調整部（Ｓ３１１５）を有する風呂制御装置である。
【００２３】
第１４の発明は、第１から第1３までのいずれかの発明において、浴室（６００）以外の場所から脱衣室（５００）に移動した人が、その後浴室（６００）に移動し、再び脱衣室（５００）に移動し、さらに脱衣室（５００）の外に移動した場合に、浴室（６００）及び脱衣室（５００）の照明を消灯する消灯部（Ｓ４５２）を有する風呂制御装置である。
【００２４】
第１５の発明は、第２から第１４までのいずれかの発明において、前記浴室（６００）及び前記脱衣室（５００）の少なくとも一方に設けられたＢｌｕｅｔｏｏｔｈ通信機を備え、人の居場所及び各人の特定は、各人が所持するＢｌｕｅｔｏｏｔｈ通信機能を有する端末（１１４）と前記Ｂｌｕｅｔｏｏｔｈ通信機との通信によって行われる風呂制御装置である。
【００２５】
第１６の発明は、第２から第１４までのいずれかの発明において、各人が所持する端末（１１４）のＧＰＳ通信機能に基づけばその端末（１１４）が前記浴室（６００）又は前記脱衣室（５００）に在ると判定された場合に、前記浴室（６００）又は前記脱衣室（５００）の照明を所定の照度パターンで点滅させる照明制御部（Ｓ５２，Ｓ５６）と、前記端末（１１４）の照度センサーによって検出した照度パターンが、前記所定の照度パターンと一致する場合には、その端末（１１４）に紐づけられている人が前記浴室（６００）又は前記脱衣室（５００）に居ると判定する居場所判定部（Ｓ５４，Ｓ５８）とを有する風呂制御装置である。
【００２６】
第１７の発明は、在宅者の各自が所持するいずれかの端末（１１４）のスイッチがオンされたか否かを判定するスイッチオン判定工程（Ｓ１１）と、前記スイッチがオンされた場合に、給湯・追焚装置（２）を運転させて湯張りを開始する湯張り開始工程（Ｓ１３）と、湯量が、在宅者の各自が所持する各端末（１１４）に設定されている湯量のなかで最低の湯量になって、かつ、湯温が、在宅者の各自が所持する各端末（１１４）に設定されている湯温のなかで最低の湯温に基づいて算出される省エネ湯温になったら湯張りを完了する湯張り完了工程（Ｓ１６）とを有する風呂制御方法である。
【発明の効果】
【００２７】
この態様によれば、在宅者の各自が所持するいずれかの端末のスイッチがオンされた場合に、給湯・追焚装置の運転を作動させて湯張りを開始して、所定の湯量・湯温になるまで湯張りすることで、高い省エネ効果を得ることができる。また人が脱衣室に移動したら、その人の好みに合わせて追い焚きすることで、各人の好みに合った風呂の状態を提供できる。
【図面の簡単な説明】
【００２８】
【図１】図１は、本発明による風呂制御装置を適用する給湯・追焚装置２の構成の一例について説明する図である。
【図２】図２は、三方弁ユニットの一例を示す図である。
【図３】図３は、浴室にＢｌｕｅｔｏｏｔｈ通信機の配置例を示す図である。
【図４】図４は、風呂制御装置が実行する自動ボタン処理の具体的な内容を示すフローチャートである。
【図５】図５は、風呂制御装置が実行する入浴前処理の具体的な内容を示すフローチャートである。
【図６】図６は、風呂制御装置が実行する準備処理の具体的な内容を示すフローチャートである。
【図７】図７は、風呂制御装置が実行する浴室処理の具体的な内容を示すフローチャートである。
【図８】図８は、風呂制御装置が実行する浴槽内処理の具体的な内容を示すフローチャートである。
【図９】図９は、風呂制御装置が実行する浴槽出処理の具体的な内容を示すフローチャートである。
【図１０】図１０は、風呂制御装置が実行する入浴後処理の具体的な内容を示すフローチャートである。
【図１１】図１１は、風呂制御装置が実行する入浴終了処理の具体的な内容を示すフローチャートである。
【図１２】図１２は、風呂制御装置が実行する人の居場所判定処理の具体的な内容を示すフローチャートである。
【発明を実施するための形態】
【００２９】
以下、添付図面を参照しながら本発明の実施形態について説明する。
【００３０】
（第１実施形態）
はじめに発明の理解を容易にするために、図１を参照して、本発明による風呂制御装置を適用する給湯・追焚装置２の一例について説明する。なお図１に示す構成は一例であって、これに限定されるものではない。
【００３１】
給湯・追焚装置２は、給湯用燃焼室４と、追焚用燃焼室８とを備える。
【００３２】
給湯用燃焼室４は、内部で水Ｗを加熱して給湯に供する給湯機能を果たす。給湯用燃焼室４は、一次熱交換器１０と、二次熱交換器１２と、バーナー７２と、給気ファン７４とを備える。一次熱交換器１０は、燃焼排気中の主として顕熱と熱交換する。二次熱交換器１２は、燃焼排気中の主として潜熱と熱交換する。バーナー７２は、一次熱交換器１０及び二次熱交換器１２を加熱する熱源である。給気ファン７４は、バーナー７２の燃焼を促進するための給気手段である。
【００３３】
追焚用燃焼室８は、浴槽６内の浴槽湯水ＢＷを追焚加熱する追焚機能を果たす。追焚用燃焼室８は、追焚用熱交換器１４と、バーナー７６と、給気ファン７８とを備える。追焚用熱交換器１４は、燃焼排気と浴槽湯水ＢＷとの熱交換を行う。バーナー７６は、追焚用熱交換器１４を加熱する熱源である。給気ファン７８は、バーナー７６の燃焼を促進するための給気手段である。
【００３４】
一次熱交換器１０，二次熱交換器１２，追焚用熱交換器１４は、双方向運転又は単独運転のいずれの運転形態でも運転が可能であり、一方の機能を他方で活用する機能として、給湯用の一次熱交換器１０と二次熱交換器１２とで加熱した湯を浴槽６に湯張りすることが可能である。
【００３５】
バーナー７２及びバーナー７６には、燃料ガスＧを供給するための燃料ガス管８０が設置されている。この燃料ガス管８０には、元ガス電磁弁８２、ガス比例弁８４が設置されている。また、バーナー７２側には切替電磁弁８６、ガス電磁弁８８、切替電磁弁９０が設置されている。バーナー７６側にはガス電磁弁９２が設置されている。このような構成によって、給湯や追焚に対する設定温度等に基づいて、バーナー７２及びバーナー７６の燃焼量を制御する場合には、ガス比例弁８４等の開度を制御する。
【００３６】
次に、給湯・追焚装置２の給湯機能について説明する。給湯時は、給水口１６から入った水Ｗが、給水管路２２を通って二次熱交換器１２に入り、この二次熱交換器１２で熱交換をした後、一次熱交換器１０で熱交換を行う。この熱交換によって加熱された湯は、給湯管路２４を通じて給湯口２６に至る。なお、給水管路２２には、水量センサー１８と、入水温センサー２０とが設置されている。この水量センサー１８によって、水Ｗの流量が測定される。また入水温センサー２０によって、水Ｗの温度が測定される。さらに給湯管路２４には、出湯温センサー２８が設置されている。この出湯温センサー２８によって、熱交換後の湯の温度が測定される。また、給湯時の設定温度に対する応答性を高めるため、熱交換後の湯に対して水を混合させる一次バイパス管路３０が一次熱交換器１０を跨いで設置されている。この一次バイパス管路３０上には、バイパス水制御弁３２が設置されている。このバイパス水制御弁３２によって、混合させる水Ｗの流量が制御される。
【００３７】
さらに、給湯管路２４には、水制御弁３４と、混合温センサー３６とが設置されている。水制御弁３４によって給湯量が制御される。また混合温センサー３６によって、水を混合することで温度調整された湯ＨＷの温度が検出される。さらに給湯管路２４には、湯ＨＷを浴槽６側に注湯する注湯管路３８が接続されている。この注湯管路３８には、浴槽６側への注湯量の調整を行う注湯電磁弁４０，注湯量を測定する注湯量センサー４２，給湯側と浴槽湯水ＢＷとを縁切りする逆止弁４４が設置されている。
【００３８】
次に、給湯・追焚装置２の追焚機能について説明する。
【００３９】
追焚管路４６は、浴槽湯水ＢＷを追焚用燃焼室８に導く戻り管４６１と、追焚された浴槽湯水ＢＷを浴槽６に導く往き管４６２とで構成されている。戻り管４６１及び往き管４６２は、浴槽６の循環金具４８に接続されている。浴槽水の追焚処理では、戻り管４６１を通して熱交換器１４に導かれて追焚加熱され、往き管４６２を通って浴槽６に至る。
【００４０】
戻り管４６１には、風呂出温度センサー５０と、水位センサー５２と、循環ポンプ５４と、流水スイッチ５６とが設置されている。風呂出温度センサー５０は、流入した浴槽湯水ＢＷの温度を検出する。水位センサー５２は、浴槽６の浴槽湯水ＢＷの水位を圧力として検出する。循環ポンプ５４は、追焚管路４６に浴槽湯水ＢＷを流すための動力源である。流水スイッチ５６は、追焚管路４６内の流れ状態を検出する。循環ポンプ５４を駆動した際に流水の有無が流水スイッチ５６によって検出され、浴槽６に循環可能な浴槽湯水ＢＷが存在しているときは、流水スイッチ５６が導通する。水位センサー５２と循環ポンプ５４との間には、上記の注湯管路３８が接続され、追焚管路４６側に湯又は水の注水を行う。
【００４１】
往き管４６２には、風呂入温度センサー６５と、三方弁６６とが備えられている。風呂入温度センサー６５は、追焚加熱されて浴槽６に流す浴槽湯水ＢＷの温度を検出する。三方弁６６の一方は、浴槽湯水ＢＷを浴槽６に流す管路に接続され、他方は、排水管路７０に接続されている。
【００４２】
この給湯・追焚装置２には、給湯制御や追焚処理の制御等の動作を制御する制御装置１１０が設置されている。そして、この制御装置１１０は、外部端末１１４と通信して給湯指令等に対する制御を行う。なお外部端末１１４としては、システム専用の端末や、あるいは制御アプリをインストールしたスマートフォン（以下適宜「スマホ」と称す）などを例示することができる。
【００４３】
次に、三方弁６６の構成について図２を参照して説明する。図２は、三方弁ユニットの一例を示す図である。図２において、図１と同一部分には、同一の符号を付し、説明を省略する。また、図２に示す構成は一例であって、これに限定されるものではない。
【００４４】
三方弁６６は、たとえば図２（Ａ）に示されるように、下部に追焚管路４６の往き管４６２を接続する流入側の接続口１１８が構成されている。この接続口１１８では、追焚処理時には、追焚管路４６の往き管４６２を流れた浴槽湯水ＢＷが流入する。三方弁６６の出口側の一方の接続口（図の左側の接続口）１２０は、浴槽６に設置された循環金具４８に接続される。また、三方弁６６の出口側の他方の接続口（図の右側の接続口）１２２は、排水管路７０に接続される。
【００４５】
三方弁６６の上部には、弁を稼動させるためのモーター１２４が設置されている。三方弁６６の内部には、図２（Ｂ）に示されるように、たとえば、流路１２５が形成された球状の弁部１２７が構成されている。この弁部１２７を、モーター１２４で左右に切り替えることで、流入側の接続口１１８の連通先を、図の左側の接続口１２０又は図の右側の接続口１２２に切り替える。すなわち、制御装置１１０からの制御信号に基づいて、追焚用の熱交換器１４から循環金具４８への流れと、熱交換器１４から排水管路７０への流れとを切り替えている。
【００４６】
以上の構成から、流入側の接続口１１８の連通先が右側の接続口１２２（排水管路７０）となるように弁部１２７を切り替えた状態で、循環ポンプ５４を駆動すれば、浴槽６の浴槽湯水ＢＷは、図１に矢印で示されているように、循環金具４８→戻り管４６１→往き管４６２→三方弁６６→排水管路７０、と流れて排出される。すなわち、この実施形態に係る給湯・追焚装置２では、追焚管路４６に設置された三方弁６６を排水管路７０に切り替えることで、排水栓６ａを開けることなく、浴槽湯水ＢＷを排出することができるのである。
【００４７】
本実施形態では、各人の居場所を、その人に紐づけられている外部端末（たとえばスマホ）１１４が在る場所で検出する。そして、その場所に応じて制御を行う。そこで、次にスマホ１１４の在る場所（スマホ１１４の位置）を検出する手法について説明する。
【００４８】
スマホ１１４には、Ｂｌｕｅｔｏｏｔｈ（登録商標）を使用して通信する機能が搭載されている。このＢｌｕｅｔｏｏｔｈのＰｒｏｘｉｍｉｔｙＰｒｏｆｉｌｅ（ＰＸＰ）を使用することで、スマホ１１４の位置を検出することができる。すなわち、ＰｒｏｘｉｍｉｔｙＰｒｏｆｉｌｅ（ＰＸＰ）は、ペアリングしたデバイスの距離を判別することができるプロファイルであるので、ペアリングしたデバイスが所定距離内に近づいたか否かを判定することができる。このプロファイルは、離席した場合にＰＣをロックするなどのセキュリティ対策にも利用されている。
【００４９】
Ｂｌｕｅｔｏｏｔｈの通信機は、たとえば浴室６００の照明６０２の調光機能部に調光強度を送受信できるＢｌｕｅｔｏｏｔｈ通信機能（Ｂｌｕｅｔｏｏｔｈ通信機）を付加しておけばよい。このようにすれば、設置や電源の確保が容易である。
【００５０】
たとえば、図３に示されているように、浴室６００の出入口６０１の近傍の照明６０２−１にＢｌｕｅｔｏｏｔｈ通信機が配置されている場合は、Ｂｌｕｅｔｏｏｔｈ通信機とペアリングされているデバイス（スマホ）が浴室６００に入ったか否かは、以下のようにして判定できる。すなわち、脱衣室５００から浴室６００に近づくにつれて、Ｂｌｕｅｔｏｏｔｈ通信機とペアリングされているデバイス（スマホ）との距離が近づく。そして、浴室６００の出入口６０１の付近で最も近づいた後、浴室６００の中に進むにつれて、離れることとなる。このように、一旦近づいて所定距離内になった後、離れればスマホが浴室内に在ることが判定される。また浴室６００から出たか否かも同様に判定できる。すなわち、浴室内に在るスマホが浴室の出入口６０１に近づくにつれて、Ｂｌｕｅｔｏｏｔｈ通信機との距離が近づき所定距離内になった後、離れることとなる。このように、浴室内に在るスマホが一旦近づいて所定距離内になった後、離れれば、スマホが浴室６００から出たことが判定される。
【００５１】
一方、浴室６００の奥の照明６０２−２にＢｌｕｅｔｏｏｔｈ通信機が配置されている場合は、Ｂｌｕｅｔｏｏｔｈ通信機とペアリングされているデバイス（スマホ）が浴室６００に入ったか否かは、以下のようにして判定できる。すなわち、脱衣室５００から浴室６００に近づくにつれて、Ｂｌｕｅｔｏｏｔｈ通信機とペアリングされているデバイス（スマホ）との距離が近づき、さらに距離が近づいて所定距離内になったら、スマホが浴室内に在ることが判定される。また浴室６００から出たか否かも同様に判定できる。すなわち、浴室内に在るスマホが浴室の出入口６０１に近づくにつれて、Ｂｌｕｅｔｏｏｔｈ通信機との距離が離れ、浴室から出るとさらに離れることとなる。このように、浴室内に在るスマホが離れて所定距離以上離れれば、スマホが浴室６００から出たことが判定される。
【００５２】
このように、Ｂｌｕｅｔｏｏｔｈで位置を把握する場合には、Ｂｌｕｅｔｏｏｔｈ通信機が配置されている場所に応じて、一旦近づいてから遠ざかるパターンと、一方的に近づく又は遠ざかるパターンの２パターンがある。いずれのパターンに該当するのかを把握することで、スマホが浴室内に在るか否かを正確に判定することができる。なおＢｌｕｅｔｏｏｔｈ通信機が配置されている場所については、使用者が機器を操作して設定しても、あるいは何度か判定することで学習するようにしてもよい。
【００５３】
スマホ１１４が脱衣室５００に在るか否かも、同様に、Ｂｌｕｅｔｏｏｔｈ通信機５０１との距離によって把握することができる。なおＢｌｕｅｔｏｏｔｈ通信機５０１は壁に設置しても、洗面台５０２に設置してもよい。
【００５４】
次に、本発明による風呂制御装置の具体的な制御ロジックについてフローチャートに沿って説明する。
【００５５】
図４は、風呂制御装置が実行する自動ボタン処理の具体的な内容を示すフローチャートである。なお以下の処理は、所定時間サイクルで繰り返し実行される。
【００５６】
ステップＳ１１において、スマホ１１４のアプリの自動ボタンがオフからオンされたか否かを判定する。判定結果が肯であればステップＳ１２へ処理を移行し、判定結果が否であればステップＳ１４へ処理を移行する。
【００５７】
ステップＳ１２において、自動ボタンフラグをオンにする。
【００５８】
ステップＳ１３において、給湯・追焚装置２を作動させて湯張りを開始する。
【００５９】
ステップＳ１４において、自動ボタンフラグがオンであるか否かを判定する。判定結果が肯であればステップＳ１５へ処理を移行し、判定結果が否であれば一旦処理を抜ける。
【００６０】
ステップＳ１５において、最低設定湯量及び省エネ湯温になったか否かを判定する。判定結果が肯であればステップＳ１６へ処理を移行し、判定結果が否であれば一旦処理を抜ける。
【００６１】
ここで最低設定湯量・最低設定湯温・省エネ湯温について補足しておく。たとえば、家族の各人がそれぞれスマホ１１４を所持している場合、最低設定湯量・最低設定湯温は、在宅の家族が設定している湯温・湯量のなかで最低の湯量・最低の湯温である。すなわち、制御アプリを登録した家族が例えば３人（スマホ３台）であって、３人とも在宅している場合は、その３人が設定している湯量・湯温のなかで最低が最低設定湯量・最低設定湯温である。制御アプリを登録した家族が３人（スマホ３台）であるが、２人しか家にいない場合には(１人帰宅していないならば）、在宅の２人が設定している湯量・湯温のなかで最低が最低設定湯量・最低設定湯温になる。単身世帯（一人暮らし）の場合は、その人が設定している湯量・湯温が最低設定湯量・最低設定湯温になる。また省エネ湯温は、最低設定湯温よりも少し低い湯温（たとえば最低設定湯温よりも３℃低い湯温）である。ステップＳ１５では、湯量が最低設定湯量になって、かつ湯温が省エネ湯温になったか否かを判定するのである。
【００６２】
ステップＳ１６において、湯張りを完了して告知する。
【００６３】
ステップＳ１７において、給湯・追焚装置２をスリープモードにする。
【００６４】
ステップＳ１８において、自動ボタンフラグをオフにする。
【００６５】
図５は、風呂制御装置が実行する入浴前処理の具体的な内容を示すフローチャートである。
【００６６】
ステップＳ２１において、人が浴室６００以外の場所から脱衣室５００に移動したか否かを判定する。判定結果が肯であればステップＳ２２へ処理を移行し、判定結果が否であればステップＳ２５へ処理を移行する。なお、本実施形態では、各人に紐づけられているスマホ１１４が浴室６００以外の場所から脱衣室５００に移動したか否かによって判定する。そしてスマホ１１４が浴室６００以外の場所から脱衣室５００に移動したか否かは、たとえばＢｌｕｅｔｏｏｔｈ通信機能によって判定できる。
【００６７】
ステップＳ２２において、準備フラグをオンにする。
【００６８】
ステップＳ２３において、給湯・追焚装置２のスリープモードを解除する。
【００６９】
ステップＳ２４において、循環ポンプ５４を作動させて、風呂出温度センサー５０によって浴槽湯水ＢＷの温度を検出するとともに、水位センサー５２によって浴槽６の浴槽湯水ＢＷの水位（湯量）を圧力として検出する。
【００７０】
ステップＳ２５において、準備フラグがオンであるか否かを判定する。判定結果が肯であればステップＳ２６へ処理を移行し、判定結果が否であれば一旦処理を抜ける。
【００７１】
ステップＳ２６において、準備処理を実行する。具体的な処理内容は後述される。
【００７２】
図６は、風呂制御装置が実行する準備処理の具体的な内容を示すフローチャートである。
【００７３】
ステップＳ２６１において、脱衣室５００に移動した人用に、その人に紐付けされているスマホ１１４に登録された設定湯温・設定湯量に調整されたか否かを判定する。判定結果が否であればステップＳ２６２へ処理を移行し、判定結果が肯であればステップＳ２６２をスキップする。
【００７４】
ステップＳ２６２において、スマホ１１４に登録されている設定湯温・設定湯量になるように、給湯・追焚装置２を作動させる。湯温・湯量を上昇させる必要があるときは、給水口１６から水Ｗを取り込んで給湯することで、湯温・湯量を上昇させることができる。なお湯量が過剰になってしまったら、上述のように三方弁６６を切り替えることで、排水栓６ａを開けることなく、浴槽湯水ＢＷを排出する。また高い湯温を好む人が先に入浴した後、次に低い湯温を好む人が入浴する場合は、湯温を低下させる必要がある。この場合は、バイパス水制御弁３２の開度を大きくすることで、給水口１６から取り込んだ水Ｗを浴槽６に供給することで、湯温を低下させることができる。このようにすることで、スマホ１１４に登録されている設定湯温・設定湯量に調整することができる。
【００７５】
ステップＳ２６３において、人（その人に紐付けされているスマホ１１４）が脱衣室５００に移動してから所定時間が経過したか否かを判定する。判定結果が否である間はステップＳ２６４をスキップし、判定結果が肯になったらステップＳ２６４へ処理を移行する。
【００７６】
ステップＳ２６４において、浴室６００の照明を点灯する。
【００７７】
ステップＳ２６５において、湯温・湯量の調整が完了するとともに浴室６００の照明を点灯したか否かを判定する。判定結果が否である間はステップＳ２６６をスキップし、判定結果が肯になったらステップＳ２６６へ処理を移行する。
【００７８】
ステップＳ２６６において、準備フラグをオフにする。
【００７９】
図７は、風呂制御装置が実行する浴室処理の具体的な内容を示すフローチャートである。
【００８０】
ステップＳ３０１において、人（その人に紐付けされているスマホ１１４）が浴室６００に居るか否かを判定する。判定結果が肯であればステップＳ３０２へ処理を移行し、判定結果が否であれば一旦処理を抜ける。なお、人が浴室６００に居るか、すなわち、その人に紐付けされているスマホ１１４が浴室６００に在るか否かは、たとえばＢｌｕｅｔｏｏｔｈ通信機能によって判定できる。
【００８１】
ステップＳ３０２において、人が浴槽６に入ったか否かを判定する。判定結果が肯であればステップＳ３０３へ処理を移行し、判定結果が否であればステップＳ３０６へ処理を移行する。
【００８２】
なお人が浴槽６に入ったか否かの判定は、たとえば、水位センサー５２に基づいて判定すればよい。水位センサー５２は、浴槽６の浴槽湯水ＢＷの水位を圧力として検出するセンサーである。水位センサー５２によって、水位（圧力）の上昇が検出されたら、人が浴槽６に入ったと判定することができる。また浴室６００に入ってからの経過時間によって人が浴槽６に入ったことを推定（間接的に検出）してもよい。さらにシャワー等の給湯口２６の出湯が停止して所定時間が経過したことをもって人が浴槽６に入ったことを推定（間接的に検出）してもよい。
【００８３】
ステップＳ３０３において、浴槽入フラグをオンにする。
【００８４】
ステップＳ３０４において、浴室６００の照明の照度を調整する。少し暗くしても完全に消灯してもよい。また照度をゼロ調整、すなわち調整せずに明るいままとしてもよい。どのように調整するかは、スマホ１１４に登録されている設定値に応じて行われる。
【００８５】
ステップＳ３０５において、脱衣室５００の照明の照度を調整する。この場合も、浴室６００の照度に合わせて少し暗くしても完全に消灯してもよい。また照度をゼロ調整、すなわち調整しなくてもよい。また浴室６００の照度は明るいままで、脱衣室５００の照明を消灯してもよい。どのように調整するかは、スマホ１１４に登録されている設定値に応じて行われる。
【００８６】
ステップＳ３０６において、浴槽入フラグがオンであるか否かを判定する。判定結果が肯であればステップＳ３０７へ処理を移行し、判定結果が否であれば一旦処理を抜ける。
【００８７】
ステップＳ３０７において、人が浴槽６から出ようとしているか否かを判定する。判定結果が肯であればステップＳ３０８へ処理を移行し、判定結果が否であればステップＳ３０９へ処理を移行する。なお人が浴槽６から出ようとしているか否かの判定は、たとえば、水位センサー５２によって、浴槽６の浴槽湯水ＢＷの水位が圧力として検出されるので、水位（圧力）が下がれば、人が浴槽６で立ち上がって、これから浴槽６から出ようとしていると判定すればよい。
【００８８】
ステップＳ３０８において、浴槽出フラグをオンにする。
【００８９】
ステップＳ３０９において、浴槽出フラグがオンであるか否かを判定する。判定結果が否であればステップＳ３１０へ処理を移行し、判定結果が肯であればステップＳ３１１へ処理を移行する。
【００９０】
ステップＳ３１０において、浴槽内処理を実行する。具体的な処理内容は後述される。
【００９１】
ステップＳ３１１において、浴槽出処理を実行する。具体的な処理内容は後述される。
【００９２】
図８は、風呂制御装置が実行する浴槽内処理の具体的な内容を示すフローチャートである。
【００９３】
ステップＳ３１０１において、スマホ１１４が置かれている状態であるか否かを判定する。判定結果が肯であればステップＳ３１０２へ処理を移行し、判定結果が否であればステップＳ３１０６へ処理を移行する。なお、スマホ１１４が置かれている状態であるか否かは、スマホ１１４に内蔵されている加速度センサーの信号によって判定すればよい。
【００９４】
ステップＳ３１０２において、スマホ１１４の表示面が浴室６００の壁に近いか、すなわち浴室６００の壁に向けられているか否かを判定する。判定結果が否であればステップＳ３１０３へ処理を移行し、判定結果が肯であればステップＳ３１０４へ処理を移行する。なお、スマホ１１４の表示面が浴室６００の壁に近いか否かは、スマホ１１４の表示面の照度を変更した場合に、その変化をスマホ１１４の照度センサーで検出できるか否かで判定できる。すなわち、スマホ１１４の表示面が浴室６００の壁に近ければ、スマホ１１４の表示面から照射した光の反射光をスマホ１１４の照度センサーで検出できるからである。
【００９５】
ステップＳ３１０３において、普通の照度でカラーグラデーション照明を行う。
【００９６】
ステップＳ３１０４において、普通よりも明るめの照度でカラーグラデーション照明を行う。
【００９７】
ステップＳ３１０５において、音楽を流す。どのような音楽を流すのかは、スマホ１１４に登録されている設定情報に基づいて行われる。たとえば音楽ジャンルを指定して、癒しの音楽を流したい場合は、ＩＤ３タグのジャンル番号２６のような癒しの音楽をスマホ１１４の中から選出して流すことで、上質な浴室空間を演出できる。なお音楽をスマホ１１４の中から選出するのではなく、音楽配信サービスなどを利用してもよい。
【００９８】
ステップＳ３１０６において、スマホ１１４が現在カラーグラデーション照明を行っているか否かを判定する。判定結果が肯であればステップＳ３１０７へ処理を移行し、判定結果が否であれば一旦処理を抜ける。
【００９９】
ステップＳ３１０７において、カラーグラデーション照明を中止する。
【０１００】
図９は、風呂制御装置が実行する浴槽出処理の具体的な内容を示すフローチャートである。
【０１０１】
ステップＳ３１１１において、スマホ１１４が所持された状態であるか否かを判定する。判定結果が否であればステップＳ３１１２へ処理を移行し、判定結果が肯であればステップＳ３１１３へ処理を移行する。なお、スマホ１１４が所持された状態であるか否かは、スマホ１１４に内蔵されている加速度センサーの信号によって判定すればよい。
【０１０２】
ステップＳ３１１２において、浴室６００の照明を調整して、ステップＳ３０４で暗くされていれば、明るくする。なお明るくしすぎると、照度差が大きくて目が眩んでしまい、浴槽６の縁を跨ぎにくくなる可能性があるので、目が眩まない程度に明るくする。たとえば最大でも７０％程度の照度差に収まるように照度を上げる。
【０１０３】
ステップＳ３１１３において、カラーグラデーション照明を中止する。
【０１０４】
ステップＳ３１１４において、浴室６００の照明を調整する。ステップＳ３１１２において、照度を上げたが、さらに照度を上げて通常の状態に戻す。この場合も照度差が大きすぎると目が眩んでしまうので、目が眩まない程度に明るくする。たとえば最大でも７０％程度の照度差に収まるように照度を上げる。
【０１０５】
ステップＳ３１１５において、脱衣室５００の照明を調整する。ステップＳ３０５で暗くされていれば、照度を上げて通常の状態に戻す。
【０１０６】
ステップＳ３１１６において、音楽を停止する。
【０１０７】
ステップＳ３１１７において、浴槽入フラグ及び浴槽出フラグをオフにする。
【０１０８】
図１０は、風呂制御装置が実行する入浴後処理の具体的な内容を示すフローチャートである。
【０１０９】
ステップＳ４１において、人（その人に紐付けされているスマホ１１４）が浴室６００から脱衣室５００に移動したか否かを判定する。判定結果が肯であればステップＳ４２へ処理を移行し、判定結果が否であればステップＳ４４へ処理を移行する。なお、スマホ１１４が浴室６００から脱衣室５００に移動したか否かは、たとえばＢｌｕｅｔｏｏｔｈ通信機能によって判定できる。
【０１１０】
ステップＳ４２において、入浴終了フラグをオンにする。
【０１１１】
ステップＳ４３において、給湯・追焚装置２をスリープモードにする。
【０１１２】
ステップＳ４４において、入浴終了フラグがオンであるか否かを判定する。判定結果が肯であればステップＳ４５へ処理を移行し、判定結果が否であれば一旦処理を抜ける。
【０１１３】
ステップＳ４５において、入浴終了処理を実行する。具体的な処理内容は後述される。
【０１１４】
図１１は、風呂制御装置が実行する入浴終了処理の具体的な内容を示すフローチャートである。
【０１１５】
ステップＳ４５１において、人（その人に紐付けされているスマホ１１４）が脱衣室５００の外に移動したか否かを判定する。判定結果が否である間はステップＳ４５２をスキップし、判定結果が肯になったらステップＳ４５２へ処理を移行する。なお、スマホ１１４が脱衣室５００の外に移動したか否かは、たとえばＢｌｕｅｔｏｏｔｈ通信機能によって判定できる。
【０１１６】
ステップＳ４５２において、浴室６００及び脱衣室５００の照明を消灯する。
【０１１７】
次に、各シーンに沿って、風呂制御装置の処理を説明する。なお以下では、上述のフローチャートとの対応が分かりやすくなるように、フローチャートのステップ番号を適宜記載する。
【０１１８】
（スマホアプリの自動ボタンがオフからオンされた場合）
スマホアプリの自動ボタンが操作されずオフのままであれば、ステップＳ１０→Ｓ１１→Ｓ１４→ＲＥＴＵＲＮが繰り返し処理される。
【０１１９】
スマホアプリの自動ボタンが操作されてオフからオンになったら、ステップＳ１０→Ｓ１１→Ｓ１２→Ｓ１３→ＲＥＴＵＲＮと処理されて、自動ボタンフラグがオンになり、給湯・追焚装置２が作動して湯張りを開始する。
【０１２０】
次サイクルでは、スマホアプリの自動ボタンがオンのままであり、自動ボタンフラグがオンなので、ステップＳ１０→Ｓ１１→Ｓ１４→Ｓ１５→ＲＥＴＵＲＮと処理される。最低設定湯量・省エネ湯温になるまで、その処理が繰り返される。最低設定湯量・省エネ湯温になったら、ステップＳ１５→Ｓ１６→Ｓ１７→Ｓ１８→ＲＥＴＵＲＮと処理されて、湯張りを完了し、表示やチャイム等で告知し、給湯・追焚装置２をスリープモードにするとともに、自動ボタンフラグをオフにする。
【０１２１】
（人が浴室以外の場所から脱衣室に移動した場合）
人（その人に紐付けされているスマホ１１４）が脱衣室以外の場所に居れば、ステップＳ２０→Ｓ２１→Ｓ２５→ＲＥＴＵＲＮが繰り返し処理される。
【０１２２】
人（その人に紐付けされているスマホ１１４）が脱衣室５００に移動したら、ステップＳ２０→Ｓ２１→Ｓ２２→Ｓ２３→Ｓ２４→ＲＥＴＵＲＮと処理されて、準備フラグがオンになり、給湯・追焚装置２のスリープモードが解除されるとともに、循環ポンプ５４を駆動して、風呂出温度センサー５０で浴槽６の湯温・湯量を検出する。
【０１２３】
次サイクル以降は、人が脱衣室５００に居て、その人に紐付けされているスマホ１１４が脱衣室５００に在り、準備フラグがオンであるので、ステップＳ２０→Ｓ２１→Ｓ２５→Ｓ２６と処理されて、準備処理が実行される。具体的には、風呂出温度センサー５０で検出した浴槽湯温・浴槽湯量がスマホ１１４に登録されている設定値になるまでは、ステップＳ２０→Ｓ２１→Ｓ２５→Ｓ２６→Ｓ２６１→Ｓ２６２と処理され、さらに、スマホ１１４が脱衣室５００に移動してから所定時間が経過するまでは、Ｓ２６２に続いてＳ２６３→Ｓ２６５→ＲＥＴＵＲＮと処理され、所定時間が経過したら、Ｓ２６２に続いてＳ２６３→Ｓ２６４→Ｓ２６５→ＲＥＴＵＲＮと処理されて、浴室６００の照明が点灯される。風呂出温度センサー５０で検出した浴槽湯温・浴槽湯量がスマホ１１４に登録されている設定値になったら、ステップＳ２０→Ｓ２１→Ｓ２５→Ｓ２６→Ｓ２６１と処理される。そして、浴槽湯温・浴槽湯量が調整されて、浴室６００の照明が点灯されたら、準備フラグがオフになる（ステップＳ２６６）。
【０１２４】
（人が浴室に移動した場合）
人が浴室以外の場所に居てその人に紐付けされているスマホ１１４が浴室以外の場所に在れば、ステップＳ３０→Ｓ３０１→ＲＥＴＵＲＮが繰り返し処理される。
【０１２５】
人が浴室内に居るが浴槽６に入っていなければ、ステップＳ３０→Ｓ３０１→Ｓ３０２→Ｓ３０６→ＲＥＴＵＲＮが繰り返し処理される。
【０１２６】
水位センサー５２などによって人が浴槽６に入ったことが検出された場合は、ステップＳ３０→Ｓ３０１→Ｓ３０２→Ｓ３０３→Ｓ３０４→Ｓ３０５→ＲＥＴＵＲＮが処理されて、次サイクル以降は、人が浴槽６から出ようとするまでは、ステップＳ３０→Ｓ３０１→Ｓ３０２→Ｓ３０６→Ｓ３０７→Ｓ３０９→Ｓ３１０→ＲＥＴＵＲＮが繰り返し処理されて、浴槽内処理が実行される。具体的には、スマホ１１４が所持された状態であれば、ステップＳ３１０→Ｓ３１０１→Ｓ３１０６→ＲＥＴＵＲＮが処理され、スマホ１１４が置かれたら（ステップＳ３１０１でＹｅｓ）、スマホ１１４の表示面が壁に向けられていなければ（ステップＳ３１０２でＮｏ）、普通の照度でカラーグラデーション照明を行い（ステップＳ３１０３）、スマホ１１４の表示面が壁に向けられていれば（ステップＳ３１０２でＹｅｓ）、普通よりも明るめの照度でカラーグラデーション照明を行う（ステップＳ３１０４）。そして、音楽（たとえば癒しの音楽など）を流す（ステップＳ３１０５）。このように、浴室内でほのかな明かりのカラーグラデーション照明を行うとともに、癒しの音楽などを流すことで、上質な浴槽空間を演出できる。またスマホ１１４の表示面が壁に向けられている場合に普通よりも明るめの照度でカラーグラデーション照明を行うことで、暗い浴室の中でカラーグラデーション照明が壁に間接照明のように広がり幻惑的なムードのある空間を演出できる。
【０１２７】
人が浴槽６から出ようとすることなくスマホ１１４が所持されたら、ステップＳ３１０→Ｓ３１０１→Ｓ３１０６→Ｓ３１０７→ＲＥＴＵＲＮが処理されて、カラーグラデーション照明が中止される。スマホ１１４が所持されたということは、スマホ１１４を使用する意思があると推定できるので、カラーグラデーション照明を中止して、通常の表示画面に戻すのである。そして、スマホ１１４が置かれたら、再び、スマホ１１４の向きに応じて、普通の照度又は普通よりも明るめの照度でカラーグラデーション照明が行われる（ステップＳ３１０３，Ｓ３１０４）。
【０１２８】
人が浴槽６から出ようとした場合は、ステップＳ３０→Ｓ３０１→Ｓ３０２→Ｓ３０６→Ｓ３０７→Ｓ３０８→ＲＥＴＵＲＮが処理されて、次サイクル以降は、ステップＳ３０→Ｓ３０１→Ｓ３０２→Ｓ３０６→Ｓ３０７→Ｓ３０９→Ｓ３１１→ＲＥＴＵＲＮが繰り返し処理されて、浴槽出処理が実行される。具体的には、スマホ１１４が所持されていなければ、浴室６００の照明を目が眩まない程度明るくして、浴槽６の縁を跨ぎやすくする。そしてスマホ１１４が所持されれば、カラーグラデーション照明を中止するとともに（ステップＳ３１１３）、浴室６００及び脱衣室５００の照明を通常の状態に戻し（ステップＳ３１１４，Ｓ３１１５）、音楽を停止して（ステップＳ３１１６）、浴槽入フラグ及び浴槽出フラグをオフにする（ステップＳ３１１７）。
【０１２９】
（スマホが浴室から脱衣室に移動した場合）
人（その人に紐付けされているスマホ１１４）が浴室に居れば、ステップＳ４０→Ｓ４１→Ｓ４４→ＲＥＴＵＲＮが繰り返し処理される。
【０１３０】
人（その人に紐付けされているスマホ１１４）が浴室６００から脱衣室５００に移動したら、ステップＳ４０→Ｓ４１→Ｓ４２→Ｓ４３→ＲＥＴＵＲＮと処理されて、入浴終了フラグがオンになり、給湯・追焚装置２がスリープモードになる。
【０１３１】
次サイクル以降は、スマホ１１４が脱衣室５００に在り、入浴終了フラグがオンであるので、ステップＳ４０→Ｓ４１→Ｓ４４→Ｓ４５と処理されて、入浴終了処理が実行される。具体的には、脱衣室５００の外に移動したら（ステップＳ４５１でＹｅｓ）、浴室６００及び脱衣室５００の照明を消灯する（ステップＳ４５２）。
【０１３２】
以上説明したように、本実施形態によれば、在宅者の各自が所持するいずれかの端末１１４のスイッチがオンされた場合に、湯量が、在宅者の各自が所持する各端末１１４に設定されている湯量のなかで最低の湯量になって、かつ、湯温が、在宅者の各自が所持する各端末１１４に設定されている湯温のなかで最低の湯温に基づいて算出される省エネ湯温になるように湯張りする。このようにしたので、無用に湯温を上げてしまうことを防止でき、高い省エネ効果を得ることができる。
【０１３３】
また従来の自動保温は、湯張り完了して、入浴までに間隔が空くと、所定時間サイクルで追い焚きをしていた。そのため入浴までに、複数回の追焚運転が行われることもあり、無駄にエネルギーを浪費してしまうこととなって省エネ上好ましくなかった。これに対して、本実施形態によれば、湯張りが完了したらスリープモードにすることで、最低設定湯温よりも少し低い湯温（たとえば最低設定湯温よりも３℃低い湯温）で保温する省エネ保温運転をするようにした。そして、人（その人に紐付けされているスマホ１１４）が浴室以外の場所から脱衣室５００に移動した場合にスリープモードを解除して、追焚運転するようにした。このようにしたので、自動保温機能によって無用な追焚運転して無駄にエネルギーを浪費してしまうことを防止して省エネルギー効果に優れた省エネ保温とすることができるのである。
【０１３４】
また人（その人に紐付けされているスマホ１１４）が浴室以外の場所から脱衣室５００に移動した場合に、湯の状態が、脱衣室５００に移動したスマホ１１４に紐付けされている人に応じて設定されている状態になっていなければ、脱衣室５００に移動したスマホ１１４に紐付けされている人に応じて設定されている状態になるように追い焚きして湯の状態を調整するようにした。このようにしたので、各人の好みに合わせた風呂の状態にすることができる。
【０１３５】
さらに人（その人に紐付けされているスマホ１１４）が浴室以外の場所から脱衣室５００に移動して所定の時間が経過した場合に、浴室６００の照明を点灯するようにした。このようにしたので、人が浴室６００の照明のスイッチを操作する必要がなく便利である。
【０１３６】
さらにまた、脱衣室５００に移動した人（スマホ１１４）がさらに浴室６００に移動してその人が浴槽６に入ったら、浴室６００の照明を調整するようにした。すなわち、浴室６００に入ったタイミングで暗くするのではなく、浴槽６に入ってから、照明を暗くするようにした。このようにしたので、人が浴槽６の縁を跨ぐときは、照明が明るいので安全であり、人が浴槽６の縁を跨いで浴槽６に入ったら浴室６００の照明を暗くすることで、リラックス効果が得られる。
【０１３７】
また、浴室６００の照明を暗くするのに合わせて、洗面室５００の照明を暗くするように又は消灯するようにした。浴室６００の照明を暗くしても、洗面室５００が明るければ、洗面室５００の明かりが、浴室６００に届いてしまう。本実施形態のように、洗面室５００の照明を、浴室６００の照明に連動させることで、浴室６００を暗くし、さらに人が浴槽６に入った場合に、浴室内に在るスマホ１１４が置かれていれば、スマホ１１４の発光面から光を発光してカラーグラデーション照明を行うようにすることで、上質な浴槽空間を演出でき、リラックス効果が高くなる。
【０１３８】
さらに、浴室内に在るスマホ１１４が置かれている場合に、そのスマホ１１４の発光面が壁から離れていれば、発光面から所定の照度の光を発光してカラーグラデーション照明を行い、発光面が壁に近ければ、前記所定の照度よりも強い照度の光を発光してカラーグラデーション照明を行うようにした。このように発光面が壁に向けられている場合に強めの光でカラーグラデーション照明を行うので、暗い浴室の中でカラーグラデーション照明が壁に間接照明のように広がり幻惑的なムードのある空間を演出できる。
【０１３９】
さらにまた、カラーグラデーション照明を行うのに合わせて音楽を流すようにした。このようにしたので、上質な浴室空間を演出できる。
【０１４０】
そして、カラーグラデーション照明を行っているスマホ１１４が所持された場合には、カラーグラデーション照明を中止するようにした。スマホ１１４が所持されたということは、スマホ１１４を使用する意思があると推定できるので、カラーグラデーション照明を中止して、通常の表示画面に戻すことで、防眩を図ることができる。
【０１４１】
また、浴槽６に入っている人が浴槽６から出ようとしている場合に、浴室６００の照明を調整するようにした。このようにしたので、人が浴槽６の縁を跨ぐときに、照明が明るく安全である。
【０１４２】
さらに、浴槽６に入っている人が浴槽６から出ようとしていることを判定した後、浴室内に在るスマホ１１４が所持されたら所持されていない場合よりも明るくなるように、浴室６００の照明を調整するようにした。このように２段階で浴室６００の照明を調整することで、防眩を図ることができる。
【０１４３】
また浴室６００の照明を調整する場合に、脱衣室５００の照明を調整して明るくする。このようにするので、人が脱衣室５００に移動するのに先だって脱衣室５００の照明を明るく調整しておくことができ安全である。
【０１４４】
また人（その人に紐付けされているスマホ１１４）が浴室以外の場所から脱衣室５００に移動し、その後浴室６００に移動し、再び脱衣室５００に移動し、さらに脱衣室５００の外に移動した場合に、浴室６００及び脱衣室５００の照明を消灯するようにした。このようにすることで、無駄な電力消費を防止でき省エネ効果が得られる。
【０１４５】
また本実施形態によれば、入浴者が変われば、その人に合わせた浴室の明るさ、入浴温度水位が準備され、入浴中は各人が好む音楽やグラデーション照明によって癒やされる。
【０１４６】
このように、本実施形態によれば、浴室照明の調光機能部に調光強度を送受信できるＢｌｕｅ  ｔｏｏｔｈ機能を付加するとともに、Ｂｌｕｅ  ｔｏｏｔｈ機能のＰｒｏｘｉｍｉｔｙ  Ｐｒｏｆｉｌｅ（ＰＸＰ）を使用して、ペアリングしたデバイス（調光機能部）との距離を判別することができるプロファイルを使用して事前に水位、浴槽湯温を入浴者に合わせて変更することで、入浴しようと浴室６００に入った初期から、入浴者の最も好む入浴シーンを設定しておくことが可能になる。そして、入浴を圧力センサーで検知したならば、入浴しようとする各人に最適な浴室の明るさに変更するとともに、脱衣室５００の照明を消灯する。また、浴室６００においてほのかな明かりのカラーグラディエーション照明を行うとともに、癒しの音楽を流すことで、上質な浴室空間を演出することができる。また、入浴者の位置情報を用いて保温機能の一時停止を行うことで、湯張り完了から入浴までの間に時間を要しても追焚が行われることを防止することができ、高い省エネ効果を得ることができる。
【０１４７】
（第２実施形態）
図１２は、風呂制御装置が実行する人の居場所判定処理の具体的な内容を示すフローチャートである。
【０１４８】
なお以下では前述と同様の機能を果たす部分には同一の符号を付して重複する説明を適宜省略する。
【０１４９】
第１実施形態では、ＢｌｕｅｔｏｏｔｈのＰｒｏｘｉｍｉｔｙＰｒｏｆｉｌｅ（ＰＸＰ）を使用することで、スマホ１１４の位置を特定したが、ＧＰＳ（Global Positioning System：全地球測位システム）を用いてもよい。ただしＧＰＳの信号は、室内には届きにくく、特に高度を検出しにくい。そのため、たとえばマンションに本発明による風呂制御装置を導入した場合に、階下／階上での浴室６００又は脱衣室５００への移動を自階の移動と誤判断する可能性がある。そこで、ＧＰＳを利用する場合は、ＧＰＳで大まかな場所を把握した後、脱衣室５００や浴室６００の照明を所定の照度パターンで点滅させる。そして、その点滅パターンをスマホ１１４の照度センサーが検出したか否かで、脱衣室５００や浴室６００への移動を判定するようにするとよい。図１２を参照して具体的な内容を説明する。
【０１５０】
ステップＳ５１において、ＧＰＳ機能に基づけばスマホ１１４が脱衣室５００（または脱衣室５００の付近）に在るか否かを判定する。判定結果が肯であればステップＳ５２へ処理を移行し、判定結果が否であればステップＳ５５へ処理を移行する。
【０１５１】
ステップＳ５２において、脱衣室５００の照明を所定パターンで点滅させる。
【０１５２】
ステップＳ５３において、スマホ１１４の照度センサーの検出パターンが、ステップＳ５２の所定パターンに一致するか否かを判定する。判定結果が肯であればステップＳ５４へ処理を移行し、判定結果が否であれば一旦処理を抜ける。
【０１５３】
ステップＳ５４において、スマホ１１４が脱衣室５００に在ること、すなわち、そのスマホ１１４に紐付けされている人が脱衣室５００に居ることが判定される。
【０１５４】
ステップＳ５５において、ＧＰＳ機能に基づけばスマホ１１４が浴室６００（または浴室６００の付近）に在るか否かを判定する。判定結果が肯であればステップＳ５６へ処理を移行し、判定結果が否であれば一旦処理を抜ける。
【０１５５】
ステップＳ５６において、浴室６００の照明を所定パターンで点滅させる。
【０１５６】
ステップＳ５７において、スマホ１１４の照度センサーの検出パターンが、ステップＳ５６の所定パターンに一致するか否かを判定する。判定結果が肯であればステップＳ５８へ処理を移行し、判定結果が否であれば一旦処理を抜ける。
【０１５７】
ステップＳ５８において、スマホ１１４が浴室６００に在ること、すなわち、そのスマホ１１４に紐付けされている人が浴室６００に居ることが判定される。
【０１５８】
このように、ＧＰＳで大まかな場所を把握した後、脱衣室５００や浴室６００の照明を所定の照度パターンで点滅させ、その点滅パターンをスマホ１１４の照度センサーが検出したか否かで、脱衣室５００や浴室６００への移動を判定するようにすることで、ＢｌｕｅｔｏｏｔｈのＰｒｏｘｉｍｉｔｙＰｒｏｆｉｌｅ（ＰＸＰ）が搭載されていない端末（たとえばスマホ）でも、本発明を実施可能になる。
【０１５９】
以上、本発明の実施形態について説明したが、上記実施形態は本発明の適用例の一部を示したに過ぎず、本発明の技術的範囲を上記実施形態の具体的構成に限定する趣旨ではない。
【０１６０】
たとえば、上記説明においては、端末１１４として、制御アプリをインストールしたスマホを例示したが、タブレットタイプの端末やシステム専用の端末などであってもよい。
【０１６１】
カラーグラデーション照明は、照度センサーによって明るさをコントロールすることも好ましい。このようにすれば、防眩を図ることができるからである。
【０１６２】
また浴室暖房（バス暖）を同調させてもよい。この場合、浴室暖房（バス暖）を開始するタイミングとしては、たとえば、ステップＳ１３で湯張りを開始するタイミング，湯張りを開始するときから所定時間遅れたタイミング，スマホ１１４が浴室６００以外の場所から脱衣室５００に移動したタイミングなどが考えられる。また、湯張りを開始してから湯張りを完了するまでの時間は予想できるので、湯張り完了タイミングを予想して、その予想タイミングから所定時間前のタイミングで浴室暖房（バス暖）を開始してもよい。またそれ以外のタイミングでもよい。また浴室暖房（バス暖）を終了するタイミングとしては、たとえば、湯張り完了タイミング，スマホ１１４が浴室６００以外の場所から脱衣室５００に移動したタイミング，ステップＳ２６４で浴室６００の照明を点灯するタイミングなどが考えられる。またそれ以外のタイミングでもよい。
【０１６３】
また人の居場所及び各人の特定は、顔認識センサーによって行ってもよい。このようにすれば、入浴中に端末（たとえばスマホ）を持ち歩かなくても、本発明を実施可能になる。
【０１６４】
上記実施形態は、適宜組み合わせ可能である。
【符号の説明】
【０１６５】
２ 給湯・追焚装置
１１４  端末
５００  脱衣室
６００  浴室
Ｓ１１  スイッチオン判定部
Ｓ１３  湯張り開始部
Ｓ１６  湯張り完了部
Ｓ１７  スリープモード開始部
Ｓ２３  スリープモード解除部
Ｓ２６１  湯状態判定部
Ｓ２６２  湯状態調整部
Ｓ２６３  経過時間判定部
Ｓ２６４  浴室照明点灯部
Ｓ３０１  脱衣後居場所判定部
Ｓ３０２  入浴判定部
Ｓ３０４  入浴中浴室照明調整部
Ｓ３０５  入浴中脱衣室照明調整部
Ｓ３０７  入浴終了判定部
Ｓ３１０１  入浴中端末状態判定部／入浴中端末所持判定部
Ｓ３１０２  入浴中端末位置判定部
Ｓ３１０３，Ｓ３１０４  端末照明制御部
Ｓ３１０５  入浴中音楽制御部
Ｓ３１０７  照明中止部
Ｓ３１１１  入浴後端末所持判定部
Ｓ３１１２  入浴後浴室照明調整部
Ｓ３１１４  入浴終了後浴室照明調整部
Ｓ３１１５  入浴後脱衣室照明調整部
Ｓ４５２  消灯部
Ｓ５２，Ｓ５６  照明制御部
Ｓ５４，Ｓ５８  居場所判定部
【図１】
2017116226.tif 000003
【図２】
2017116226.tif 000004
【図３】
2017116226.tif 000005
【図４】
2017116226.tif 000006
【図５】
2017116226.tif 000007
【図６】
2017116226.tif 000008
【図７】
2017116226.tif 000009
【図８】
2017116226.tif 000010
【図９】
2017116226.tif 000011
【図１０】
2017116226.tif 000012
【図１１】
2017116226.tif 000013
【図１２】
2017116226.tif 000014